(57)【特許請求の範囲】
【請求項１】
データベース（３）に対する更新について無線通信ネットワークの少なくとも１つのモバイル・デバイスに通知する方法であって、更新通知は、動的ホスト構成プロトコル（Ｄｙｎａｍｉｃ  Ｈｏｓｔ  Ｃｏｎｆｉｇｕｒａｔｉｏｎ  Ｐｒｏｔｏｃｏｌ（ＤＨＣＰ））サーバ（５）によって前記モバイル・デバイス（７）にプッシュされる、方法。
【請求項２】
前記データベースは、前記モバイル・デバイス（１つまたは複数）（７）のうちの少なくとも１つが、アクセス・ネットワークを選択し、および／またはハンドオーバ（ＨＯ）を最適化することを可能にする前記ネットワークに関する情報を含む、請求項１に記載の通知方法。
【請求項３】
前記データベース（３）は、自動アクセス・ネットワーク発見選択機能（ＡＮＤＳＦ）によって管理される、請求項１または２に記載の通知方法。
【請求項４】
前記データベース（３）は、前記モバイル・デバイス（７）との通信にＯｐｅｎ  Ｍｏｂｉｌｅ  Ａｌｌｉａｎｃｅ−Ｄｅｖｉｃｅ  Ｍａｎａｇｅｍｅｎｔ（ＯＭＡ−ＤＭ）によって定義されたプロトコルを使用する、請求項１または２に記載の通知方法。
【請求項５】
前記データベースが編集／更新されたことの通知を前記動的ホスト構成プロトコル・サーバにおいて受信するステップ（１０２）と、
前記動的ホスト構成プロトコル・サーバから少なくとも１つのモバイル・デバイスに再構成メッセージを送信するステップ（１０３）と、
前記再構成メッセージに応答して前記少なくとも１つのモバイル・デバイスから送信された情報要求を、前記動的ホスト構成プロトコル・サーバにおいて、受信するステップ（１０４）と、
前記情報要求に応答して前記動的ホスト構成プロトコル・サーバから前記少なくとも１つのモバイル・デバイスに応答メッセージを送信するステップ（１０５）と、
前記データベースを管理するサーバにメッセージの受信通知を送信するステップ（１０６）と
を含む、請求項１乃至４のいずれか１項に記載の通知方法。
【請求項６】
前記再構成メッセージは、少なくとも１つのモバイル・デバイス（７）の識別子、前記動的ホスト構成プロトコル・サーバの識別子、認証オプション、および再構成メッセージ・タイプ・オプションを含み、前記再構成メッセージ・タイプ・フィールドは、情報要求を含む、請求項５に記載の通知方法。
【請求項７】
前記動的ホスト構成プロトコル・サーバから少なくとも１つのモバイル・デバイス（７）に再構成メッセージを送信する前記ステップの後に、前記少なくとも１つのモバイル・デバイス（７）は、前記動的ホスト構成プロトコル・サーバの前記識別子と前記認証オプションとに基づいて、それがＤＨＣＰプロトコルに従って正しいピアと通信していることを検証する、請求項６に記載の通知方法。
【請求項８】
前記応答メッセージは、前記データベース（３）を管理するサーバに関する更新情報を含む、請求項５乃至７のいずれか１項に記載の通知方法。
【請求項９】
前記少なくとも１つのモバイル・デバイス（７）によって受信される前記更新通知は、前記少なくとも１つのモバイル・デバイス（７）に、前記データベース（３）を管理するサーバに接続させる、請求項１乃至８のいずれか１項に記載の通知方法。
【請求項１０】
前記データベースを管理する前記サーバへの前記少なくとも１つのモバイル・デバイスの接続は、Ｏｐｅｎ  Ｍｏｂｉｌｅ  Ａｌｌｉａｎｃｅ−Ｄｅｖｉｃｅ  Ｍａｎａｇｅｍｅｎｔ（ＯＭＡ−ＤＭ）プロトコルに従って実行される、請求項９に記載の通知方法。
【請求項１１】
アクセス・ネットワークのデータベース（３）を管理する手段と、前記データベースの更新の通知を動的ホスト構成プロトコル（ＤＨＣＰ）サーバ（５）に送信する手段とを含む、アクセス・ネットワーク発見選択機能（ＡＮＤＳＦ）サーバ（１）。
【請求項１２】
アクセス・ネットワーク発見選択機能（ＡＮＤＳＦ）サーバ（１）によって管理されるデータベース（３）に対する更新の通知を受信する手段と、前記更新通知を少なくとも１つのモバイル・デバイス（７）にプッシュする手段とを含む、動的ホスト構成プロトコル（ＤＨＣＰ）サーバ（５）。
【請求項１３】
請求項１１に記載のアクセス・ネットワーク発見選択機能（ＡＮＤＳＦ）サーバ（１）と請求項１２に記載の動的ホスト構成プロトコル（ＤＨＣＰ）サーバ（５）とを含む通信ネットワークであって、前記ＡＮＤＳＦサーバ（１）によって管理されるデータベースの更新は、前記ＤＨＣＰサーバ（５）によって前記ネットワークの少なくとも１つのモバイル・デバイスに送信される、通信ネットワーク。
【発明の詳細な説明】
【技術分野】
【０００１】
本発明は、無線通信ネットワークの分野に関し、より具体的には、ネットワークのモバイル・デバイスへの通知の送信に関する。
【背景技術】
【０００２】
遠隔通信ネットワーク、特にアクセス・ネットワークは、変化し続ける。したがって、ユーザのモバイル・デバイスがこれらの変化を考慮に入れるために、これらのモバイル・デバイスは、データベースからの更新を実行しなければならない。
【０００３】
さらに、データベースとの交換を最小にするために、データベースが変更されたことをユーザのモバイル・デバイスに知らせるためにユーザのモバイル・デバイスに通知を送信することが好ましい。
【０００４】
それでも、技術的現状では、通知をユーザのモバイル・デバイスに送信することを可能にする手段は、使用されるアクセス・ネットワークのタイプに依存する大きい制限を示す。具体的に言うと、Ｏｐｅｎ  Ｍｏｂｉｌｅ  Ａｌｌｉａｎｃｅ−Ｄｅｖｉｃｅ  Ｍａｎａｇｅｍｅｎｔ（ＯＭＡ−ＤＭ）プロトコルでは、１つの解決策は、ＳＭＳ（ショート・メッセージ・システム）メッセージを使用することからなるが、この解決策は、ＬＴＥ（Ｌｏｎｇ  Ｔｅｒｍ  Ｅｖｏｌｕｔｉｏｎ）ネットワークについて実施がむずかしく、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）ネットワークについては完全に適用不能である。
【０００５】
技術的現状からのもう１つの代替案は、ＯＭＡ−ＤＭサーバまたはデータベースを管理するＡＮＤＳＦ（アクセス・ネットワーク発見選択機能（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ））ボックスとモバイル・デバイスとの間でＴＣＰ（伝送制御プロトコル）接続を使用することからなる。しかし、この解決策は、多数のＴＣＰ接続を維持することの結果としてスケーラビリティ問題を引き起こす可能性があり、これによってネットワーク全体の性能に影響する可能性がある。
【発明の概要】
【発明が解決しようとする課題】
【０００６】
したがって、本発明の実施形態の１つの目的は、技術的現状からの前述の欠点を克服し、独立のアクセス技術通知方法（３ＧＰＰ（第３世代パートナーシップ・プロジェクト）によって標準化されたものすなわちＧＳＭ／ＧＰＲＳ、ＵＭＴＳ、ＬＴＥであれ、ＷＭＦ（ＷｉＭＡＸ  Ｆｏｒｕｍ）によって標準化されたものすなわちＷｉＭＡＸであれ）を提供することである。
【課題を解決するための手段】
【０００７】
そのために、本発明の実施形態は、データベースに対する更新について無線通信ネットワークの少なくとも１つのモバイル・デバイスに通知する方法であって、更新通知は、動的ホスト構成プロトコル（ＤＨＣＰ）サーバによってモバイル・デバイスに送信される、方法に関する。
【０００８】
本発明の実施形態のもう１つの態様によれば、前記データベースは、前記モバイル・デバイスのうちの少なくとも１つが、アクセス・ネットワークを選択し、かつ／またはハンドオーバ（ＨＯ）を最適化することを可能にする、ネットワークに関する情報を含む。
【０００９】
本発明の実施形態のもう１つの態様によれば、前記データベースは、自動アクセス・ネットワーク発見選択機能（ＡＮＤＳＦ）によって管理される。
【００１０】
本発明の実施形態の追加の態様によれば、前記データベースは、モバイル・デバイスと通信するのにＯｐｅｎ  Ｍｏｂｉｌｅ  Ａｌｌｉａｎｃｅ−Ｄｅｖｉｃｅ  Ｍａｎａｇｅｍｅｎｔ（ＯＭＡ−ＤＭ）によって定義されたプロトコルを使用する。
【００１１】
本発明の実施形態の追加の態様によれば、この方法は、
データベースを編集／更新するステップと、
データベースが編集／更新されたことの通知を動的ホスト構成プロトコル・サーバに送信するステップと、
動的ホスト構成プロトコル・サーバから少なくとも１つのモバイル・デバイスに再構成メッセージを送信するステップと、
再構成メッセージに応答して前記少なくとも１つのモバイル・デバイスから動的ホスト構成プロトコル・サーバに情報要求を送信するステップと、
情報要求に応答して動的ホスト構成プロトコル・サーバから前記少なくとも１つのモバイル・デバイスに応答メッセージを送信するステップと、
データベースを管理するサーバに受信メッセージの肯定応答を送信するステップと
を含む。
【００１２】
本発明の実施形態のもう１つの態様によれば、再構成メッセージは、少なくとも１つのモバイル・デバイスの識別子、動的ホスト構成プロトコル・サーバの識別子、認証オプション、および再構成メッセージ・タイプ・オプションを含み、再構成メッセージ・タイプ・フィールドは、情報要求を含む。
【００１３】
本発明の実施形態の追加の態様によれば、動的ホスト構成プロトコル・サーバから少なくとも１つのモバイル・デバイスに再構成メッセージを送信するステップの後に、前記少なくとも１つのモバイル・デバイスは、動的ホスト構成プロトコル・サーバの識別子と認証オプションとに基づいて、それがＤＨＣＰプロトコルに従って正しいピアと通信していることを検証する。
【００１４】
本発明の実施形態の追加の態様によれば、前記応答メッセージは、データベースを管理するサーバに関する更新情報を含む。
【００１５】
本発明の実施形態の追加の態様によれば、前記少なくとも１つのモバイル・デバイスによって受信される前記更新通知は、前記少なくとも１つのモバイル・デバイスに、データベースを管理するサーバに接続させる。
【００１６】
本発明の実施形態の追加の態様によれば、データベースを管理するサーバへの前記少なくとも１つのモバイル・デバイスの接続は、Ｏｐｅｎ  Ｍｏｂｉｌｅ  Ａｌｌｉａｎｃｅ−Ｄｅｖｉｃｅ  Ｍａｎａｇｅｍｅｎｔ（ＯＭＡ−ＤＭ）プロトコルに従って実行される。
【００１７】
本発明の実施形態は、アクセス・ネットワークのデータベースを管理する手段と、前記データベースの更新の通知を動的ホスト構成プロトコル（ＤＨＣＰ）サーバに送信する手段とを含む、アクセス・ネットワーク発見選択機能（ＡＮＤＳＦ）サーバにも関する。
【００１８】
本発明の実施形態は、アクセス・ネットワーク発見選択機能（ＡＮＤＳＦ）サーバによって管理されるデータベースに対する更新の通知を受信する手段と、前記更新通知を少なくとも１つのモバイル・デバイスに送信する手段とを含む、動的ホスト構成プロトコル（ＤＨＣＰ）サーバにも関する。
【００１９】
本発明の実施形態は、アクセス・ネットワーク発見選択機能（ＡＮＤＳＦ）サーバと動的ホスト構成プロトコル（ＤＨＣＰ）サーバとを含む通信ネットワークであって、ＡＮＤＳＦサーバによって管理されるデータベースの更新は、ＤＨＣＰサーバによってネットワークの少なくとも１つのモバイル・デバイスに送信される、通信ネットワークにも関する。
【００２０】
本発明の実施形態の他の特性および利益は、添付図面を参照して与えられる次の説明から明白になり、添付図面は、非限定的な例によって１つの可能な実施形態を示す。
【図面の簡単な説明】
【００２１】
【図１】通信ネットワークの一部を示す図である。
【図２】本発明の実施形態のさまざまなステップを示す概略図である。
【発明を実施するための形態】
【００２２】
次の説明では、全般的に、
用語「ＡＮＤＳＦ」は、「アクセス・ネットワーク発見選択機能（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）」の頭字語であり、
用語「ＤＨＣＰ」は、「動的ホスト構成プロトコル（Ｄｙｎａｍｉｃ  Ｈｏｓｔ  Ｃｏｎｆｉｇｕｒａｔｉｏｎ  Ｐｒｏｔｏｃｏｌ）」の頭字語であり、
用語「ＯＭＡ−ＤＭ」は、「Ｏｐｅｎ  Ｍｏｂｉｌｅ  Ａｌｌｉａｎｃｅ−Ｄｅｖｉｃｅ  Ｍａｎａｇｅｍｅｎｔ」の頭字語であり、この連合内のこのワークグループによって定義されたプロトコルを指定し、
用語「ＩＰ」は、「インターネット・プロトコル（Ｉｎｔｅｒｎｅｔ  Ｐｒｏｔｏｃｏｌ）」の頭字語であり、
用語「３ＧＰＰ」は、「第３世代パートナーシップ・プロジェクト（Ｔｈｉｒｄ  Ｇｅｎｅｒａｔｉｏｎ  Ｐａｒｔｎｅｒｓｈｉｐ  Ｐｒｏｊｅｃｔ）」の頭字語であり、
用語「ＬＴＥ」は「Ｌｏｎｇ  Ｔｅｒｍ  Ｅｖｏｌｕｔｉｏｎ」の頭字語であり、
用語「ＷｉＭＡＸ」は「Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ」の頭字語であり、
用語「ＴＣＰ」は「伝送制御プロトコル（Ｔｒａｎｓｍｉｓｓｉｏｎ  Ｃｏｎｔｒｏｌ  Ｐｒｏｔｏｃｏｌ）」の頭字語である。
【００２３】
本発明の実施形態は、更新の可用性についてネットワークのモバイル・デバイスに知らせるためにモバイル・デバイスに通知を送信することによって遠隔通信ネットワークがモバイル・デバイスの更新を引き起こすことを可能にする「プッシュ」方法を確立することを目指す。
【００２４】
図１は、データベース３を備えるＡＮＤＳＦサーバ１、ＤＨＣＰサーバ５、およびモバイル・デバイスまたはＤＨＣＰクライアント７を含む遠隔通信ネットワークの一部を示す。データベース３はモバイル・デバイスの情報を含む。ＡＮＤＳＦサーバを、ＯＭＡ−ＤＭプロトコルを使用する別のタイプのサーバに置換することができ、その結果、本発明の実施形態が、ＡＮＤＳＦサーバの使用に限定されるのではなく、ＯＭＡ−ＤＭプロトコルを使用するすべてのタイプのサーバに関することに留意されたい。
【００２５】
図２に、本発明の実施形態による方法のさまざまなステップを示す。
【００２６】
第１ステップ１０１は、データベース３を更新し／編集することに対応する。
【００２７】
その編集／更新についてネットワークのモバイル・デバイスに知らせるために、サーバ（ＡＮＤＳＦまたはＯＭＡ−ＤＭプロトコルを使用するタイプ）１は、通知をＤＨＣＰサーバ５に送信する（ステップ１０２）。この通知は、データベース３に対する更新についてＤＨＣＰサーバ５に知らせるように働き、その結果、サーバは、ネットワークのクライアント７にその情報を送信するようになる。
【００２８】
その後、ＤＨＣＰサーバ５は、ＤＨＣＰクライアント７の識別子、ＤＨＣＰサーバ５の識別子、認証オプション、および情報要求を示す再構成メッセージ・タイプ・オプションを含む再構成メッセージを各ＤＨＣＰクライアント７に送信する（ステップ１０３）。
【００２９】
再構成メッセージが受信される時に、各ＤＨＣＰクライアント７は、それがＤＨＣＰプロトコルに従って正しいピアと通信しつつあることをチェックし、ＡＮＤＳＦ／ＯＭＡ−ＤＭサーバ１が更新を望むオプションに関する情報要求をＤＨＣＰサーバ５に応答する（ステップ１０４）。
【００３０】
その後、ＤＨＣＰサーバ５は、データベース３に関する更新された情報を含む応答メッセージを送り返す（ステップ１０５）。
【００３１】
これらの更新は、使用可能な隣接するセルおよびアクセス・ネットワークならびにセル・ハンドオーバ・プロセスを最適化するためのそれらのセルおよびアクセス・ネットワークの優先順位に関係するものとすることができる。
【００３２】
さらに、ＤＨＣＰサーバ５は、ＤＨＣＰクライアント７との通信についてＡＮＤＳＦ／ＯＭＡ−ＤＭサーバ１に知らせるために、受信メッセージの肯定応答をＡＮＤＳＦ／ＯＭＡ−ＤＭサーバ１に送り返し、メッセージの交換を終了する（ステップ１０６）。
【００３３】
したがって、ＤＨＣＰクライアント７は、データベース３に対する更新の可用性および性質について知らされ、これによって、これらの更新を、ＡＮＤＳＦ／ＯＭＡ−ＤＭサーバ１に直接に連絡することによって取り出すことができる（ステップ１０７）。ＤＨＣＰクライアント７とＡＮＤＳＦ／ＯＭＡ−ＤＭサーバ１との間の接続は、ＯＭＡ−ＤＭ通信プロトコルを使用して行われる。
【００３４】
したがって、本方法の実施形態のさまざまな態様は、ＡＮＤＳＦ／ＯＭＡ−ＤＭサーバ１がモバイル・デバイス更新手順をトリガすることを可能にし、その結果、モバイル・デバイスが、ＡＮＤＳＦ／ＯＭＡ−ＤＭサーバ１のデータベース３に接続でき、対応する情報を取り出せるようにする。ＩＰインフラストラクチャに基づく方法を使用することと、明確に確立されたＤＨＣＰプロトコルを使用することとによって、本発明の実施形態は、さまざまなタイプのネットワークすなわち、ＬＴＥなどの３ＧＰＰネットワークだけではなくＷｉＭＡＸネットワークによっても使用できる解決策を提供し、ＴＣＰ接続をアクティブに保つことまたはトリガＳＭＳを使用することを不必要にすることによるなど、ネットワークの性能を改善し、スケーラビリティ問題を減らすことを可能にする。
【図１】
0005496336.tif 000002
【図２】
0005496336.tif 000003